(57)【要約】【課題】  ロバーバル機構を１つの板状の母材を板厚方向にくり抜いて形成したブロック状の機構体を用いた重量測定装置において、ベース部材への固定、あるいは皿受けの装着のためのねじの締結に起因するブロック状機構体の歪の発生を抑制し、かつ、任意の向きのトルクが繰り返し作用しても、締結部に緩みを生じることのない重量測定装置を提供する。【解決手段】  固定柱１１および／または可動柱１２に、ブロック状機構体１の板厚方向に沿う複数の貫通孔Ｈを形成し、その各貫通孔Ｈと、固定柱１１および／または可動柱１２の板厚方向両側に密着する固定用アダプタ４ａ，４ｂないしは装着用アダプタ６ａ，６ｂに、それぞれ互いに逆向きに挿入するものを含むようにボルトＢを貫通させた状態でナットＮを締結することによってこれらのアダプタ４ａ，４ｂないしは６ａ，６ｂを固定する。【選択図】  図２
2005147856.tif 000002
【特許請求の範囲】
【請求項１】
可動柱と固定柱とが互いに平行な２本の梁を介して連結されてなるロバーバル機構を含む力測定セルを有し、かつ、そのロバーバル機構は１つの板状の母材を板厚方向にくり抜いて形成されてなるブロック状の機構体であり、上記固定柱が固定用アダプタを介してベース部材に固定され、かつ、上記可動柱に被測定物を載せるための皿を支持する皿受けが直接もしくは間接的に装着される重量測定装置において、
上記固定用アダプタは上記固定柱の板厚方向両側にそれぞれ密着固定される形状を有しているとともに、上記固定柱に母材の板厚方向に沿った複数の貫通孔が形成され、その各貫通孔には、それぞれ当該各貫通孔並びに固定用アダプタを貫通するボルトが配され、その各ボルトの先端にナットを締結することにより固定柱が固定用アダプタに固定され、かつ、その各ボルトは、互いに逆向きに配されているものを含むことを特徴とする重量測定装置。
【請求項２】
可動柱と固定柱とが互いに平行な２本の梁を介して連結されてなるロバーバル機構を含む力測定セルを有し、かつ、そのロバーバル機構は１つの板状の母材を板厚方向にくり抜いて形成されてなるブロック状の機構体であり、上記固定柱が固定用アダプタを介してベース部材に固定され、かつ、上記可動柱に被測定物を載せるための皿を支持する皿受けが直接もしくは間接的に装着される重量測定装置において、
上記固定用アダプタは上記固定柱の板厚方向両側に密着固定される形状を有しているとともに、上記固定柱には、その板厚方向両側に雌ねじが形成され、その両側の雌ねじに対して、それぞれ上記固定用アダプタを貫通してボトルがねじ込まれることにより、固定柱が固定用アダプタに固定されていることを特徴とする重量測定装置。
【請求項３】
可動柱と固定柱とが互いに平行な２本の梁を介して連結されてなるロバーバル機構を含む力測定セルを有し、かつ、そのロバーバル機構は１つの板状の母材を板厚方向にくり抜いて形成されてなるブロック状の機構体であり、上記固定柱が直接もしくは間接的にベース部材に固定され、かつ、被測定物を載せるための皿を支持する皿受けが上記可動柱に装着用アダプタを介して装着される重量測定装置において、
上記装着用アダプタは上記可動柱の板厚方向両側にそれぞれ密着固定される形状を有しているとともに、上記可動柱に母材の板厚方向に沿った複数の貫通孔が形成され、その各貫通孔には、それぞれ当該各貫通孔並びに装着用アダプタを貫通するボルトが配され、その各ボルトの先端にナットを締結することにより装着用アダプタが可動柱に固定され、かつ、その各ボルトは、互いに逆向きに配されているものを含むことを特徴とする重量測定装置。
【請求項４】
可動柱と固定柱とが互いに平行な２本の梁を介して連結されてなるロバーバル機構を含む力測定セルを有し、かつ、そのロバーバル機構は１つの板状の母材を板厚方向にくり抜いて形成されてなるブロック状の機構体であり、上記固定柱が直接もしくは間接的にベース部材に固定され、かつ、被測定物を載せるための皿を支持する皿受けが上記可動柱に装着用アダプタを介して装着される重量測定装置において、
上記装着用アダプタは上記可動柱の板厚方向両側に密着固定される形状を有しているとともに、上記可動柱には、その板厚方向両側に雌ねじが形成され、その両側の雌ねじに対して、それぞれ上記装着用アダプタを貫通してボルトがねじ込まれることにより、装着用アダプタが可動柱に固定されていることを特徴とする重量測定装置。
【発明の詳細な説明】
【技術分野】
【０００１】
本発明は、電子天びんないしは電子はかりなどの重量測定装置に関し、更に詳しくは、１つの板状の母材を板厚方向にくり抜いて形成されたロバーバル機構を備えた重量測定装置に関する。
【背景技術】
【０００２】
被測定荷重と電磁力とを釣り合わせる、いわゆる電磁力平衡型の電子天びんにおいては、一般に、磁気回路が作る静磁場中に可動コイルを配置した電磁力発生装置を備え、その可動コイルを、皿受けに係合するレバーの一端に取り付ける。そして、皿受けへの被測定荷重の作用によるレバーの変位をディテクタで検出し、その検出結果が常に０となるように電磁力発生装置の可動コイルに流す電流をフィードバック制御し、レバーの変位を０にするのに要する電流の大きさから被測定荷重の大きさを求める。
【０００３】
皿受けは、通常、その変位を鉛直方向に規制して偏置誤差を解消すべく、ロバーバル機構によって支承される。ロバーバル機構は、それぞれの両端部に可撓部が形成された互いに平行な上下２本の梁により、固定柱と可動柱を連結した構造を持ち、皿受けはその可動柱に装着され、その可動柱とレバーとが、可撓性の連結部材によって連結される。
【０００４】
この種の電子天びんにおいて、従来、ロバーバル機構とレバー機構、およびこれらを連結する連結部材を１つの板状の母材を板厚方向にくり抜いて形成してなるブロック状の機構体を、力測定セルとして用いた構造のものが知られている（例えば特許文献１参照）。  
【０００５】
図６にその文献記載の電磁力平衡型の電子天びんの構造を縦断面図で示す。この図６において、６１はロバーバル機構であり、固定柱６１１と可動柱６１２を互いに平行な上下２本の梁６１３ａ，６１３ｂで連結した構造を持ち、このロバーバル機構６１と、レバー機構６２および連結部６３とが、１つの板状の母材を板厚方向にくり抜いたブロック状の機構体６０によって一体に形成されている。
【０００６】
この例においてレバー機構６２は、レバー本体６２１および弾性支点６２２によって構成され、その一端部に電磁力発生装置６４の可動コイル６４ａが固着されている。電磁力発生装置６４は、可動コイル６４ａと、その可動コイル６４ａが置かれる静磁場を作るための永久磁石６４ｂを含む磁気回路６４ｃによって構成されており、可動コイル６４ａを流れる電流に応じた大きさの電磁力を発生する。
【０００７】
ブロック状の機構体６０の電子天びん内への組み込みに際しては、ロバーバル機構６１の固定柱６１１の外側の端面に雌ねじを刻設し、天びんのベース部材６５を貫通させてねじＳをその雌ねじにねじ込むことによって、ベース部材６５に対して固定する。また、被測定物を載せるための皿６６を支承する皿受け６７は、雄ねじ６７ａを一体に形成したものとし、可動柱６２の頂部に形成した雌ねじにねじ込むことにより装着される。
【０００８】
また、ロードセル式の電子はかりにおいても、ロードセルの主体をなす起歪体は、板状部材をくり抜いて形成されたブロック状のロバーバル機構を構成するものが多い（例えば特許文献２参照）。
【０００９】
この特許文献２に開示されているロードセルはかりでは、図７に示すように、固定柱７１と可動柱７２を互いに平行な上下２本の梁７３ａ，７３ｂで連結したロバーバル機構体７０を、１つの板状の母材をくり抜いて形成している。このロバーバル機構体７０の上下の梁７３ａ，７３ｂの両端部近傍に形成されている可撓部（起歪部）ｅに、それぞれ歪ゲージ（図示せず）を貼着して、力測定セルであるロードセルを構成している。
【００１０】
そして、このロバーバル機構体７０のはかり内への組み込みは、ロバーバル機構体７０の固定柱７１の外側の端面に雌ねじを刻設して固定用アダプタ７４をねじＳで固定し、その固定用アダプタ７４をベース部材７５にねじ止めしている。また、可動柱７２に対する皿受け７６の装着は、可動柱７２の外側の端面に雌ねじを刻設して装着用アダプタ７７をねじＳで固定し、その装着用アダプタ７７に皿受け７６をねじ止めしている。
【特許文献１】特開昭６３−２７７９３６号公報
【特許文献２】特開平７−３５６０１号公報
【発明の開示】
【発明が解決しようとする課題】
【００１１】
ところで、図６に示した従来のブロック状機構体６０の天びんのベース部材６５への固定構造、あるいは可動柱に対する皿受け６７の取り付け構造においては、ロバーバル機構６１の固定柱６１１あるいは可動柱６１２に対して、その板厚方向に直交する方向に雌ねじを形成し、その雌ねじに対して直接ボルトＢや皿受け６７に一体形成された雄ねじ６７ａをねじ込むことにより各部材を相互に締結するため、ブロック状機構体６０のロバーバル機構６１の各梁６１３ａ，６１３ｂの両端部に形成される可撓部ｅや、レバー機構６２の弾性支点６２ｂ、更には連結部６３の可撓部ｅなどを微細化していくと、これらの部位にボルトＢや雄ねじ６７ａのねじ込みによる歪みが発生し、意図する精度が得られないという問題があった。このことは、図７に示した従来のロードセル式はかりについても言える。
【００１２】
このような問題を解決するため、本発明者は、図８および図９にそれぞれ要部正面図およびその平面図を示すような構造を提案している。これらの図において、８０はブロック状機構体であり、ロバーバル機構８１とレバー機構８２および連結部８３を一体に形成している。この提案構造においては、ブロック状機構体８０のロバーバル機構８１の固定柱８１１に、当該ブロック状機構体８０の板厚方向に複数の貫通孔Ｈを形成するとともに、固定柱８１１の板厚方向両側に固定用アダプタ８８ａ，８８ｂを密着させ、その固定用アダプタ８８ａ，８８ｂおよび貫通孔Ｈを貫通させたボルトＢにナットＮを締結することによって、固定用アダプタ８８ａ，８８ｂとブロック状機構体８０を一体化したうえで、固定用アダプタ８８ａ．８８ｂを天びんのベース部材８５にねじ止めする構造を採用している。
【００１３】
また、可動柱８１２に対する皿受け８７の取り付け構造については、可動柱８１２にブロック状機構体８０の板厚方向に複数の貫通孔Ｈを形成するとともに、可動柱８１２の板厚方向両側に装着用アダプタ８９ａ，８９ｂを密着させ、その装着用アダプタ８９ａ，８９ｂおよび貫通孔Ｈを貫通させたボルトＢにナットＮを締結することによって、可動柱８１３に装着用アダプタ８９ａ，８９ｂを固定し、その装着用アダプタ８９ａ，８９ｂに対して皿受け８７をねじ止めする構造を採用している。
【００１４】
以上の構造により、天びんの固定部材８５に対する固定柱８１１の固定時、および、可動柱８１２に対する皿受け８７の固定時におけるボルトＢのねじ込みに起因するブロック状機構体８０の歪みの発生を抑制することができ、ひいては電子天びんの高精度化を達成することが可能となった。また、この構造は図７に示したロードセルはかりにも等しく適用することができる。
【００１５】
しかしながら、以上のような提案構造においては、固定柱８１１および可動柱８１２の各貫通孔Ｈに挿入されてナットＮが締結されるボルトＢは、それぞれ水平方向の姿勢で全てが同一の向きのトルクのもとにナットＮが締結されているため、例えば被測定荷重の作用など、締結トルクと逆向きのモーメントが繰り返し作用すると、ボルトＢとナットＮの締結部に緩みを生じる可能性があるという問題があった。
【００１６】
本発明はこのような実情に鑑みてなされたもので、ブロック状機構体のベース部材への固定、および可動柱への皿受けの装着のためのねじの締結に起因するブロック状機構体の歪みの発生を抑制することができると同時に、特殊なボルト等を用いることなく、これらの固定ないしは装着部分における締結部の緩みの発生をも防止することのできる電子天びんなどの重量測定装置の提供を課題としている。
【課題を解決するための手段】
【００１７】
上記の課題を解決するため、本発明の重量測定装置は、可動柱と固定柱とが互いに平行な２本の梁を介して連結されてなるロバーバル機構を含む力測定セルを有し、かつ、そのロバーバル機構は１つの板状の母材を板厚方向にくり抜いて形成されてなるブロック状の機構体であり、上記固定柱が固定用アダプタを介してベース部材に固定され、かつ、上記可動柱に被測定物を載せるための皿を支持する皿受けが直接もしくは間接的に装着される重量測定装置において、上記固定用アダプタは上記固定柱の板厚方向両側にそれぞれ密着固定される形状を有しているとともに、上記固定柱に母材の板厚方向に沿った複数の貫通孔が形成され、その各貫通孔には、それぞれ当該各貫通孔並びに上記固定用アダプタを貫通するボルトが配され、その各ボルトの先端にナットを締結することにより固定柱が固定用アダプタに固定され、かつ、その各ボルトは、それぞれ同数ずつ互いに逆向きに配されていることによって特徴づけられる（請求項１）。
【００１８】
また、同じ課題を解決するため、請求項２に係る発明の重量測定装置は、上記と同様に、可動柱と固定柱とが互いに平行な２本の梁を介して連結されてなるロバーバル機構を含む力測定セルを有し、かつ、そのロバーバル機構は１つの板状の母材を板厚方向にくり抜いて形成されてなるブロック状の機構体であり、上記固定柱が固定用アダプタを介してベース部材に固定され、かつ、上記可動柱に被測定物を載せるための皿を支持する皿受けが直接もしくは間接的に装着される重量測定装置において、上記固定用アダプタは上記固定柱の板厚方向両側に密着固定される形状を有しているとともに、上記固定柱には、その板厚方向両側に雌ねじが形成され、その両側の雌ねじに対して、それぞれ上記固定用アダプタを貫通してボトルがねじ込まれることにより、固定柱が固定用アダプタに固定されていることによって特徴づけられる。
【００１９】
更に同じ課題を解決するため、請求項３に係る発明の重量測定装置は、可動柱と固定柱とが互いに平行な２本の梁を介して連結されてなるロバーバル機構を含む力測定セルを有し、かつ、そのロバーバル機構は１つの板状の母材を板厚方向にくり抜いて形成されてなるブロック状の機構体であり、上記固定柱が直接もしくは間接的にベース部材に固定され、かつ、被測定物を載せるための皿を支持する皿受けが上記可動柱に装着用アダプタを介して装着される重量測定装置において、上記装着用アダプタは上記可動柱の板厚方向両側に密着固定される形状を有しているとともに、上記可動柱に母材の板厚方向に沿った複数の貫通孔が形成されているとともに、その各貫通孔には、それぞれ当該各貫通孔並びに装着用アダプタを貫通するボルトが配され、その各ボルトの先端にナットを締結することにより装着用アダプタが可動柱に固定され、かつ、その各ボルトは、それぞれ同数ずつ互いに逆向きに配されていることによって特徴づけられる。
【００２０】
更にまた同じ課題を解決するため、請求項４に係る発明の重量測定装置は、可動柱と固定柱とが互いに平行な２本の梁を介して連結されてなるロバーバル機構を含む力測定セルを有し、かつ、そのロバーバル機構は１つの板状の母材を板厚方向にくり抜いて形成されてなるブロック状の機構体であり、上記固定柱が直接もしくは間接的にベース部材に固定され、かつ、被測定物を載せるための皿を支持する皿受けが上記可動柱に装着用アダプタを介して装着される重量測定装置において、上記装着用アダプタは上記可動柱の板厚方向両側に密着固定される形状を有しているとともに、上記可動柱には、その板厚方向両側に雌ねじが形成され、その両側の雌ねじに対して、それぞれ上記装着用アダプタを貫通してボルトがねじ込まれることにより、装着用アダプタが可動柱に固定されていることによって特徴づけられる。
【００２１】
本発明は、ブロック状機構体の板厚方向に複数の貫通孔もしくは雌ねじを形成し、その各貫通孔もしくは雌ねじに貫通もしくはねじ込んだボルトによりアダプタを取り付け、そのアダプタを介して固定柱をベース部材に固定し、あるいは可動柱に皿受けを装着することにより、ボルトの締めつけによるブロック状機構体の歪の発生を可及的に少なくするとともに、その各ボルトは、互いに逆向きに貫通もしくはねじ込むものを含ませることにより、トルクの作用による締結部の緩みの発生を防止しようとするものである。
【００２２】
すなわち、請求項１および２に係る発明は、固定柱のベース部材への固定構造に関するものであって、請求項１では、固定柱にその板厚方向に沿う複数の貫通孔を形成し、その固定柱の板厚方向両側に密着される固定用アダプタを、当該固定用アダプタ並びに各貫通孔を貫通するボルトとナットにより締結固定して、その固定用アダプタをベース部材に固定する構成の採用により、締結によるブロック状機構体の歪の発生を抑制し、更に、各ボルトを、互いに逆向きに挿入するものを含ませることにより、互いに逆向きの締結トルクを持つボルトを存在させ、繰り返して所定の向きのトルクが作用してもボルトによる締結部の緩みの発生を防止することが可能となる。
【００２３】
請求項３に係る発明は、上記と同等の作用効果を可動柱に対する皿受けの装着構造に狙ったものであり、可動柱にその板厚方向に沿うように複数の貫通孔を形成する一方、皿受けを装着するための装着用アダプタを可動柱の板厚方向両側に密着させる形状とし、各貫通孔並びに装着用アダプタを貫通するように複数のボルトを貫通させ、その各ボルトを、互いに逆向きに貫通させるものを含ませることにより、締結によるブロック状機構体の歪の発生の抑制と、締結部分に繰り返して同向きのトルクが作用しても、その締結部の緩みの発生の防止の双方を達成している。
【００２４】
請求項２に係る発明は、請求項１に係る発明と同等の固定用アダプタを用いるとともに、固定柱にはその板厚方向両側にそれぞれ雌ねじを刻設して、その各雌ねじに固定用アダプタを貫通させたボルトをねじ込むことにより当該固定用アダプタを取り付ける構成を採用している。この構成によれば、固定柱に対して直接的にボルトをねじ込むものの、そのねじ込み方向は板厚方向であり、図６，図７に示した従来のボルトのねじ込み方向である板厚方向に直交する方向に比して、ボルトのねじ込みに起因するブロック状機構体の歪の発生をより少なくすることが可能となる。そして、各ボルトは板厚方向両側からねじ込まれるため、ボルトの締結部に繰り返し同じ向きのトルクが作用しても、締結部の緩みの発生を防止することができる。
【００２５】
そして、請求項４に係る発明は、請求項２に係る発明と同等の作用効果を可動柱に対する皿受けの装着構造に狙ったものであり、請求項３に係る発明と同等の装着用アダプタを用いるとともに、可動柱の板厚方向両側にそれぞれ雌ねじを刻設し、装着用アダプタを貫通させたボルトを各雌ねじにねじ込むことによって当該装着用アダプタを可動柱に対して取り付ける。これにより、ボルトのねじ込みによるブロック状機構体の歪の発生を少なくすると同時に、締結部の緩みの発生を防止することができる。
【発明の効果】
【００２６】
請求項１および２に係る発明によれば、固定柱のベース部材への固定のためのボルト締結時に、ブロック状機構体に歪が発生することを抑制することができると同時に、その締結部の緩みの発生を防止することができる。
また、請求項３および４に係る発明によれば、可動柱に対する皿受けの装着のための  ボルトの締結時に、ブロック状機構体に歪が発生することを抑制することができると同時に、その締結部の緩みの発生を防止することができる。
【発明を実施するための最良の形態】
【００２７】
以下、図面を参照しつつ本発明の実施の形態について説明する。
図１は本発明の実施の形態の要部構成を示す正面図であり、図２はその平面図、図３は同じくその右側面図である。
【００２８】
ブロック状機構体１は、固定柱１１と可動柱１２を互いに平行な上下２本の梁１３ａ，１３ｂによって連結してなるロバーバル機構１０と、２段のレバー機構２０、およびそのレバー機構２０と可動柱１２とを連結する連結部３０とを、１つの板状の母材をその板厚方向にくり抜いて形成したものである。
【００２９】
レバー機構２０は、連結部３０により可動柱１２に連結される第１のレバー本体２１およびその弾性支点２１ａと、第１のレバー本体２１に対してレバー連結部２２により連結される第２のレバー本体２３およびその弾性支点２３ａによって構成されており、第２のレバー本体２３は持ち出し部材（図示せず）の一端が固定され、その持ち出し部材の他端に電磁力発生装置の可動コイル（いずれも図示せず）が取り付けられる。
【００３０】
固定柱１１には、その板厚方向に沿って４つの貫通孔Ｈが形成されているとともに、板厚方向両側に断面略Ｌ字形の固定用アダプタ４ａ，４ｂが密着して固定されている。すなわち、各固定用アダプタ４ａ，４ｂには、固定柱１１に形成されている各貫通孔Ｈに対応して４つの貫通孔が形成されており、その固定用アダプタ４ａ，４ｂの各貫通孔と固定柱１１の各貫通孔Ｈを位置合わせした状態で、これらの双方の部材の各貫通孔をそれぞれ貫通するように、２本ずつ逆向きに合計４本のボルトＢが挿入され、その各ボルトＢの先端にナットＮが締結されることにより、各固定用アダプタ４ａ，４ｂが固定柱１１に対して固定されている。各固定用アダプタ４ａ，４ｂは、それぞれ天びんのベース部材５に対してねじ止めされ、これにより、ブロック状機構体１の固定柱１１が間接的にベース部材５に固定された状態となる。
【００３１】
また、可動柱１２にも、その板厚方向に４つの貫通孔Ｈが形成されているとともに、板厚方向両側に装着用アダプタ６ａ，６ｂが密着して固定されている。すなわち、各装着用アダプタ６ａ，６ｂには、可動柱１２に形成されている各貫通孔Ｈに対応して４つの貫通孔が形成されており、その装着用アダプタ６ａ，６ｂの各貫通孔と可動柱１２の各貫通孔Ｈを位置合わせした状態で、これらの双方の部材の各貫通孔をそれぞれ貫通するように、２本ずつ逆向きに合計４本のボルトＢが挿入され、その各ボルトＢの先端にナットＮが締結されることにより、各装着用アダプタ６ａ，６ｂが可動柱１２に対して固定されている。各装着用アダプタ６ａ，６ｂには、図３に示すように、皿受け７がブロック状機構体１を跨ぐようにねじ止めされ、これにより、可動柱１２に対して皿受け７が装着された状態となる。なお、この皿受け７に皿８が支持される。
【００３２】
以上の実施の形態によれば、固定柱１１をベース部材５に固定するため機固定用アダプタ４ａ，４ｂ、および可動柱１２に皿受け７を装着するための装着用アダプタ６ａ，６ｂが、それぞれブロック状機構体１の板厚方向に沿って形成された貫通孔Ｈを貫通するボルトＢにナットＮを締結することによって固定柱１１ないしは可動柱１２に対して取り付けられているので、ボルトＢとナットＮの締結に起因するブロック状機構体１の各部の歪の発生を抑制することができる。しかも、各ボルトＢは、それぞれ２本ずつ逆向きに配されているので、任意の向きのトルクの作用によっても緩みが生じることがない。
【００３３】
次に本発明の他の実施の形態について説明する。図４に要部平面図を、図５にはその右側面図を示す。なお、この例は、ブロック状機構体１の基本的構成は先の実施の形態と同等であるため、その詳細な説明を省略するとともに、冗長を避けるためのその正面図についても省略する。
【００３４】
この例の特徴は、固定柱１１および可動柱１２に、それぞれ板厚方向両側から各４つずつ雌ねじＦＳを形成し、その各雌ねじＦＳにそれぞれボルトＢをねじ込むことにより、先の例と同等の固定用アダプタ４ａ，４ｂ並びに装着用アダプタ６ａ．６ｂをそれぞれ固定柱１１並びに可動柱１２に固定した点にある。
【００３５】
すなわち、固定用アダプタ４ａ，４ｂは、先の例と同様に、固定柱１１の板厚方向両側に形成された各４つの雌ねじＦＳに対応して貫通孔が形成されており、その各貫通孔を各雌ねじＦＳに位置合わせした状態で、各貫通孔を貫通してそれぞれボルトＢが各雌ねじＦＳにねじ込まれ、これにより固定用アダプタ４ａ，４ｂが固定柱１１に対して固定されている。
【００３６】
また、装着用アダプタ６ａ，６ｂについても、先の例と同様に、可動柱１２の板厚方向両側に形成された各４つの雌ねじＦＳに対応して貫通孔が形成されており、その各貫通孔を各雌ねじＦＳに位置合わせした状態で、各貫通孔を貫通してそれぞれボルトＢが各雌ねじＦＳにねじ込まれ、これにより可動柱１２に対して装着用アダプタ６ａ．６ｂが固定されている。
【００３７】
この実施の形態によると、各ボルトＢはそれぞれ固定柱１１ないしは可動柱１２に直接的にねじ込まれるが、そのねじ込む方向がブロック状機構体１の板厚方向であり、また、ブロック状機構体１はその板厚方向にくり抜いて各機構部を形成しているため、従来の板厚に直交する方向にねじ込む場合に比して、ブロック状機構体１の各部の歪の発生を大幅に低減することができる。また、各ボルトＢは、固定柱１１ないしは可動柱１２に対してそれぞれ４本ずつ逆向きにねじ込まれているため、任意の向きのトルクの作用によっても緩みが生じることがない。
【００３８】
ここで、以上の各実施の形態においては、本発明を電磁力平衡型の電子天びんに適用した例を示したが、１つの板状の母材をくり抜いて形成したロバーバル機構体を用いた、いわゆるロードセル式はかりについても、その固定柱と可動柱に対するアダプタの取り付け構造に、本発明を等しく適用し得ることは勿論である。
【図面の簡単な説明】
【００３９】
【図１】本発明の実施の形態の要部正面図である。
【図２】図１の平面図である。
【図３】図１の右側面図である。
【図４】本発明の他の実施の形態の要部平面図である。
【図５】図４の右側面図である。
【図６】従来の電磁力平衡型の電子天びんの構成例を示す縦断面図である。
【図７】従来のロードセル式はかりの構成例を示す正面図である。
【図８】固定柱のベース部材への固定、および可動柱への皿受けの装着に起因するブロック状機構体の歪の発生を抑制することのできる構造例を示す要部正面図である。
【図９】図８の平面図である。
【符号の説明】
【００４０】
１  ブロック状機構体
１０  ロバーバル機構
１１  固定柱
１２  可動柱
１３ａ，１３ｂ  梁
２０  レバー機構
３０  連結部
４ａ，４ｂ  固定用アダプタ
５  ベース部材
６ａ，６ｂ  装着用アダプタ
７  皿受け
８  皿
Ｂ  ボルト
Ｎ  ナット
ＦＳ  雌ねじ
【図１】
2005147856.tif 000003
【図２】
2005147856.tif 000004
【図３】
2005147856.tif 000005
【図４】
2005147856.tif 000006
【図５】
2005147856.tif 000007
【図６】
2005147856.tif 000008
【図７】
2005147856.tif 000009
【図８】
2005147856.tif 000010
【図９】
2005147856.tif 000011